(57)【要約】【課題】風量を増加させるのに有利となる暖房装置を提供する。【解決手段】暖房装置１は、筐体２と、筐体２の内部に設置され、外部の空気を取り入れるファン２４と、ファン２４が取り入れた空気を加熱する加熱装置５０と、加熱装置５０で加熱された空気を外部へ吹き出す吹き出し部１２ｃと、ファン２４が取り入れた空気を導入する導入口６３と、導入口６３から導入した空気を吹き出し部１２ｃに向けて導出する導出口６４とを有するダクト６０とを備える。ダクト６０は、導入口６３の開口面を投影させた２つの第１側面Ｐ１と、導出口６４の開口面を投影させた２つの第２側面Ｐ２とを有する直方体状の第１空間Ｓ１を含む。【選択図】図８
2020026946.tif 000002
【特許請求の範囲】
【請求項１】
筐体と、
前記筐体の内部に設置され、外部の空気を取り入れるファンと、
前記ファンが取り入れた空気を加熱する加熱装置と、
前記加熱装置で加熱された空気を外部へ吹き出す吹き出し部と、
前記ファンが取り入れた空気を導入する導入口と、当該導入口から導入した空気を前記吹き出し部に向けて導出する導出口とを有するダクトと、を備え、
前記ダクトは、前記導入口の開口面を投影させた２つの第１側面と、前記導出口の開口面を投影させた２つの第２側面とを有する直方体状の第１空間を含む、暖房装置。
【請求項２】
前記ダクトは、前記導入口の開口面を投影させた２つの第３側面を有し、かつ、前記導出口の開口面を投影させる側面を有しない第２空間を含み、
前記加熱装置は、前記第２空間に設置される、請求項１に記載の暖房装置。
【請求項３】
前記ダクトは、第１分割体と第２分割体とに分割可能であり、
前記加熱装置は、前記第１分割体と前記第２分割体とに挟まれて保持される、請求項１又は２に記載の暖房装置。
【請求項４】
前記ダクトは、前記導出口が形成されている第１壁部に対向する第２壁部に、少なくとも一部が前記導出口に対向し、前記ダクトの内側から外側に向かって凸となる曲面部を有する、請求項３に記載の暖房装置。
【請求項５】
前記ファンを回転させるモーターと、
前記ファンを接続している側で前記モーターを支持するモーター支持部と、
前記モーター支持部に接続され、前記ファンを収容するファン収容部と、
前記ファンが吸い込んだ空気を前記ファン収容部の外側に通過させる第１流通経路と、
前記第１流通経路を通過してきた空気を、前記モーターの側面側、かつ、前記ファン収容部の内側に流通させる第２流通経路と、を備え、
前記第１流通経路における空気の進行方向と、前記第２流通経路における空気の進行方向とは、それぞれ前記モーターの回転軸に対して平行であり、かつ、互いに反対である、請求項１乃至４のいずれか１項に記載の暖房装置。
【請求項６】
前記筐体は、前記第１流通経路に沿った位置に形成されている吸気口を有する、請求項５に記載の暖房装置。
【請求項７】
前記モーター支持部は、側端部にフック部を有する、請求項５又は６に記載の暖房装置。
【請求項８】
前記モーター支持部は、前記ダクトの鉛直方向の上方で、かつ、前記ファン収容部が接続する側で、前記筐体に支持され、
前記筐体は、前記モーター支持部を支持する側の方が反対側よりも前記筐体から水平方向に突出するベースを備える、請求項５乃至７のいずれか１項に記載の暖房装置。
【請求項９】
設置面に載置され、前記筐体を支持する台座部と、
前記筐体を前記台座部に対して水平方向に旋回させる首振り機構と、を備える、請求項１乃至８のいずれか１項に記載の暖房装置。
【請求項１０】
前記台座部は、平面視で円形状に形成され、
前記筐体は、円形状の前記台座部に対応させて前記筐体の下部から水平方向に膨出する膨出部を有し、
前記台座部と前記膨出部との間に、前記筐体の荷重を支持する支持体が配置される、請求項９に記載の暖房装置。
【請求項１１】
制御部と、熱を帯びた被検知対象物の動きを検知する検知部と、を備え、
前記制御部は、前記首振り機構が前記筐体を前記台座部に対して水平方向に旋回させるときには、前記検知部に基づいて暖房運転の自動停止及び自動開始を行わないように制御する、請求項９又は１０に記載の暖房装置。
【発明の詳細な説明】
【技術分野】
【０００１】
本実施の形態は、暖房装置に関する。
【背景技術】
【０００２】
従来、ファンを駆動させて外部から取り入れた空気を、セラミックヒーターを用いて加熱し、温風として吹き出す暖房装置がある。この暖房装置は、ファンを収容し、ファンが放射状に拡散させた空気を、温風の吹き出し口の近傍に設置されたセラミックヒーターに導くファンケースを備える。ここで、ファンによる空気の拡散方向と温風の吹き出し方向とは異なる。そのため、ファンケースの一部は、空気の拡散方向から温風の吹き出し方向に空気の進行方向を変化させる曲断面を有する形状となっている。
【先行技術文献】
【特許文献】
【０００３】
【特許文献１】実開平３−１２４１６４号公報
【発明の概要】
【発明が解決しようとする課題】
【０００４】
曲断面形状のファンケースでは、空気の流通空間の容積がおおよそ最小限に設定されている。したがって、例えば、ファンケースの形状を維持したままでは、送風可能な風量を増加させることが難しい。
【０００５】
本実施の形態は、風量を増加させるのに有利となる暖房装置を提供する。
【課題を解決するための手段】
【０００６】
本実施の形態に係る暖房装置は、筐体と、筐体の内部に設置され、外部の空気を取り入れるファンと、ファンが取り入れた空気を加熱する加熱装置と、加熱装置で加熱された空気を外部へ吹き出す吹き出し部と、ファンが取り入れた空気を導入する導入口と、導入口から導入した空気を吹き出し部に向けて導出する導出口とを有するダクトと、を備え、ダクトは、導入口の開口面を投影させた２つの第１側面と、導出口の開口面を投影させた２つの第２側面とを有する直方体状の第１空間を含む。
【発明の効果】
【０００７】
本実施の形態によれば、風量を増加させるのに有利となる暖房装置を提供することができる。
【図面の簡単な説明】
【０００８】
【図１】本実施の形態に係る暖房装置の斜視図である。
【図２】本実施の形態に係る暖房装置の側面図である。
【図３】本実施の形態に係る暖房装置の正面図である。
【図４】本実施の形態に係る暖房装置の背面図である。
【図５】本実施の形態に係る暖房装置の分解斜視図である。
【図６】本実施の形態に係る暖房装置のＸＺ平面で切断した断面図である。
【図７】本体ケースを取り外した状態の本実施の形態に係る暖房装置の斜視図である。
【図８】ダクト内の空間形状を説明する拡大断面図である。
【図９】本実施の形態に係る暖房装置のＸＹ平面で切断した断面図である。
【図１０】別実施の形態に係る暖房装置の斜視図である。
【図１１】別実施の形態に係る暖房装置の側面図である。
【図１２】別実施の形態に係る暖房装置の正面図である。
【図１３】別実施の形態に係る暖房装置の背面図である。
【図１４】別実施の形態に係る暖房装置の平面図である。
【図１５】別実施の形態に係る暖房装置のＸＺ平面で切断した断面図である。
【図１６】暖房装置の吸気口を説明する本体ケースの拡大斜視図である。
【図１７】暖房装置の吹き出し口を説明する前面パネルの拡大斜視図である。
【発明を実施するための形態】
【０００９】
以下、本実施の形態について図面を参照して詳細に説明する。ここで、実施の形態に示す寸法、材料、その他、具体的な数値等は例示にすぎず、特に断る場合を除き、本実施の形態を限定するものではない。また、実質的に同一の機能及び構成を有する要素については、同一の符号を付することにより重複説明を省略し、本実施の形態に直接関係のない要素については、図示を省略する。
【００１０】
図１は、本実施の形態に係る暖房装置１の外観を示す斜視図である。図２は、暖房装置１の側面図である。図３は、暖房装置１の正面図である。図４は、暖房装置１の背面図である。図１以下の各図では、暖房装置１の高さ方向をＺ方向と規定する。Ｚ方向は、鉛直方向に沿う場合もあるし、鉛直方向に対して傾きを持つ場合もある。また、Ｚ方向に垂直な平面内において、Ｘ方向と、Ｘ方向に垂直なＹ方向とを規定する。本実施の形態では、温風の吹き出し方向がＸ方向におおよそ沿っているものとする。以下、Ｘ方向において、温風を吹き出す側を「前」と表現し、その反対側を「後」と表現する場合がある。
【００１１】
暖房装置１は、例えば室内に設置され、外部から取り入れた空気を内部で加熱し、吹き出し口１４ａから温風を吹き出すことで、室内を温める。なお、図１では、暖房装置１から温風が吹き出されている状態が矢印で示されている。暖房装置１は、設置面である床面上に載置された使用状態で立設された姿勢となる、いわゆる縦置き型である。また、暖房装置１は、Ｙ方向に沿った正面幅に対してＸ方向に沿った側面幅が狭い、すなわち、前後方向の幅が薄い形状を有する。
【００１２】
暖房装置１は、本体ケース１０と、前面パネル１２と、ガード１４と、操作パネル１６とを備える。ここで、暖房装置１の筐体２は、本体ケース１０と前面パネル１２との組み合わせである。
【００１３】
本体ケース１０は、暖房装置１に含まれる他の各要素を収容する。本体ケース１０は、全体として、ケース外枠端１０ａ（図６参照）を境界として前面側が開放された箱形である。本体ケース１０は、図４に示すように、後方に向かって開口する吸気口１０ｂを有する。本体ケース１０は、下面部１０ｄ（図５等参照）に、暖房装置１を安定的に床面に載置させるためのベース１８を有する。なお、吸気口１０ｂ及びベース１８については、以下で詳説する。また、本体ケース１０は、電源コード５４を外部に導出させる凹部１０ｉを有する。
【００１４】
前面パネル１２は、暖房装置１の正面に位置し、本体ケース１０の開放面を覆う。前面パネル１２は、本体ケース１０に対して取り外し可能である。前面パネル１２は、本体ケース１０のケース外枠端１０ａに合わせた形状のパネル外枠端１２ａ（図６参照）を有する。つまり、前面パネル１２が本体ケース１０に取り付けられた状態では、パネル外枠端１２ａとケース外枠端１０ａとが組み合わされる。前面パネル１２は、複数の取り付けネジ１３を用いて本体ケース１０に対して固定される（図５参照）。なお、図５では、一例として１本の取り付けネジ１３のみが描画されている。この場合、本体ケース１０は、取り付けネジ１３を貫通させる複数の貫通穴１０ｊを有する。一方、前面パネル１２は、複数の貫通穴１０ｊの各々に対応した複数のネジ穴部１２ｂ（図７参照）を有する。また、前面パネル１２は、吹き出し部１２ｃと、ガード収容部１２ｄと、センサー窓１２ｅとを有する。
【００１５】
吹き出し部１２ｃは、前面側と後面側との間で貫通する穴部である。暖房装置１の内部で生成された温風は、最終的に吹き出し部１２ｃに導かれる。本実施の形態では、吹き出し部１２ｃは、前面パネル１２の下側に設けられている。
【００１６】
ガード１４は、暖房装置１の内部で生成された温風を外部に向けて吹き出す吹き出し口１４ａを有する。そして、ガード１４は、吹き出し口１４ａの前方に、吹き出し口１４ａへの外部からのアクセスを抑止するための複数のフィン１４ｂを有する保護部材である。複数のフィン１４ｂは、Ｘ方向に貫通する空間が形成されるように、間隔Ｇ１を維持しながら並列する。ガード１４は、予めフィン１４ｂ同士の間隔Ｇ１が適切に設定されていることで、吹き出し口１４ａへの外部からのアクセスを抑止させるほかに、温風を整流することができる。ガード１４は、耐熱性を有する樹脂により構成されている。ガード１４は、下端寄りの箇所に吹き出し口１４ａが設けられ、上端寄りの残りの箇所には吹き出し口が設けられていない。これにより、吹き出し口１４ａからの温風の熱によって前面パネル１２を変形させてしまうことが抑制される。
【００１７】
ガード収容部１２ｄは、ガード１４を前方側から収容して設置可能とする凹部である。ガード収容部１２ｄにガード１４が設置されているとき、ガード１４の吹き出し口１４ａは、前面パネル１２に形成されている吹き出し部１２ｃを貫通する。そして、吹き出し口１４ａの上流側の開口端は、ダクト６０の導出口６４に接続される（図６参照）。また、ガード１４は、ガード収容部１２ｄに設置されているときに、前面パネル１２の表面から突出しない形状を有する。ガード１４は、複数の取り付けネジ１５を用いてガード収容部１２ｄに対して固定される（図５参照）。なお、図５では、一例として１本の取り付けネジ１５のみが描画されている。この場合、ガード収容部１２ｄは、取り付けネジ１５を貫通させる複数の貫通穴１２ｆを有する。一方、ガード１４は、不図示であるが、複数の貫通穴１２ｆの各々に対応した複数のネジ穴部を有する。
【００１８】
センサー窓１２ｅは、後述する人感センサー２０の感知部を外部に露出させる穴部である。本実施の形態では、センサー窓１２ｅは、前面パネル１２の上側で、かつ、正面幅方向であるＹ方向の一方の側に寄った位置に設けられている。
【００１９】
操作パネル１６は、暖房装置１の運転状態を変更するための電源ボタン及び各種の切替ボタン等を有する。操作パネル１６は、本体ケース１０の上面部１０ｃに設置されている。
【００２０】
図５は、暖房装置１の構成を示す分解斜視図である。図６は、図３中のＶＩ−ＶＩ断面に相当する暖房装置１の断面図である。図７は、本体ケース１０のみを取り外した状態にある暖房装置１を斜め後方から見た斜視図である。
【００２１】
暖房装置１は、さらに、人感センサー２０と、回路基板２２と、ファン２４と、モーター２６と、モーター支持部３０と、ファン収容部４０と、加熱装置５０と、ダクト６０とを備える。
【００２２】
人感センサー２０は、暖房装置１の前に現れた人等、熱を帯びた被検知対象物の動きを検知する検知部として機能する。暖房装置１は、人感センサー２０による人等の検知に基づいて、人が操作パネル１６を直接操作することなく、自動で運転の開始及び停止を行うことができる。
【００２３】
回路基板２２は、暖房装置１の動作を制御する制御部としての制御回路等を実装する。回路基板２２は、操作パネル１６の裏面の近傍に設置されている。回路基板２２には、操作パネル１６、人感センサー２０、モーター２６及び加熱装置５０がそれぞれ電気的に接続されている。
【００２４】
ファン２４は、モーター２６の駆動により回転し、吸気口１０ｂから外部の空気を取り入れる。ファン２４は、例えば、円筒状に並んだ多数の羽根２４ａを有し、遠心力によって空気の流れを起こすシロッコファンである。ファン２４の中心軸２４ｂは、モーター２６の回転軸２６ａに同軸状に取り付けられる。
【００２５】
モーター支持部３０は、モーター２６を支持する部材である。モーター支持部３０は、例えば、高さ方向であるＺ方向と正面幅方向であるＹ方向との成す平面に対して平行な平板部材である。モーター支持部３０は、ＹＺ平面のおおよそ中央位置に、モーター２６の回転軸を貫通させる貫通穴３１を有する。モーター２６は、回転軸２６ａを前方から後方に向かって貫通穴３１に貫通させるように、取り付けネジ３２と取り付けナット３３とを用いて、モーター支持部３０に取り付けられる。この場合、モーター２６の本体部２６ｂは、モーター支持部３０の前面側に位置する。一方、ファン２４は、モーター支持部３０の後面側に位置する。また、モーター支持部３０は、貫通穴３１を基準として放射状に、前面側から後面側に貫通する複数の空気導入孔３４を有する。空気導入孔３４が形成されている孔領域は、ファン２４の円筒内部に対向する。モーター２６の本体部２６ｂは、孔領域の一部を塞ぐことがあっても、孔領域の全体を塞ぐことはない。したがって、ファン２４が回転すると、本体部２６ｂ側から空気導入孔３４を介してファン２４側へ空気が導入される。導入された空気は、ファン２４の円筒内部に吸い込まれた後、ファン２４の円筒外部に放出される。なお、モーター支持部３０は、不図示のネジ等を用いて人感センサー２０を支持するものとしてもよい。
【００２６】
ファン収容部４０は、ファン２４を内側に収容する壁部である。本実施の形態では、ファン収容部４０は、モーター支持部３０の後面と一体化されている第１壁部３５と、本体ケース１０の内面と一体化されている第２壁部１０ｅとの組み合わせである。ファン収容部４０は、全体として、ファン２４の外周を非接触で取り囲む形状を有する。つまり、ファン２４の周囲には、ファン収容部４０と、モーター支持部３０の後面と、本体ケース１０の内面とで囲われた収容空間Ｓ０が形成される。また、ファン収容部４０の一部は、ファン収容部４０の下方に位置するダクト６０の導入口６３に接続されている。そのため、ファン２４の円筒外部に放出された空気は、収容空間Ｓ０内に導入された後に、導入口６３に導かれる。ここで、収容空間Ｓ０内での空気の流れを円滑にするために、ファン収容部４０は、ファン２４の回転方向すなわちファン２４による空気の放出方向に合わせて、徐々にファン２４との間隔が広くなる形状を有してもよい。また、ファン収容部４０は、導入口６３に向かって末広がりとなる広がり端４０ａを有してもよい。
【００２７】
また、ファン収容部４０は、ダクト６０の導入口６３を係合させる係合部４０ｂを有する。例えば、ダクト６０は、図７に示すように、導入口６３の端部にフランジ部６３ａを有するものとする。この場合、係合部４０ｂは、フランジ部６３ａをＸ方向に沿ってスライドさせることで係合させ、かつ、Ｚ方向に沿って挟み込んで保持する形状を有するものとしてもよい。
【００２８】
また、モーター支持部３０は、図５に示すように、複数の取り付けネジ３６を用いて本体ケース１０に対して固定される。なお、図５では、一例として１本の取り付けネジ３６のみが描画されている。この場合、モーター支持部３０は、取り付けネジ６５を貫通させる複数の貫通穴３０ａを有する。一方、本体ケース１０は、複数の貫通穴３０ａの各々に対応した複数のネジ穴部１０ｆを有する。
【００２９】
加熱装置５０は、ファン収容部４０から送られてきた空気を加熱する。加熱装置５０としては、例えば、ＰＴＣヒーターが採用される。なお、加熱装置５０は、図５等の各図では、長板状のブロック体で表現されている。ただし、加熱装置５０は、実際には、例えば、図中のＺ方向に対応する厚み方向に貫通する複数の空間が形成されるように並列された複数の発熱板で構成されている。したがって、ファン収容部４０から送られてきた空気は、加熱装置５０を厚み方向に貫通可能である。また、加熱装置５０の長手方向の一方の側面には、リード線５２（図７参照）を接続するための端子５０ａが設けられている。
【００３０】
ダクト６０は、ファン収容部４０から送られてきた空気を吹き出し口１４ａへ導く。本実施の形態では、ダクト６０は、ファン収容部４０の下方に設置されているので、全体的には、上面側で空気を取り入れ、前面側に向かって空気を排出する形状を有する。ダクト６０は、ファン２４が取り入れた空気をファン収容部４０から導入する導入口６３と、導入口６３から導入した空気を吹き出し口１４ａに向けて導出する導出口６４とを有する。
【００３１】
導入口６３は、ダクト６０の上面側に位置する。導入口６３の開口面は、例えば、ＸＹ平面上にあり、Ｙ方向に長く、Ｘ方向に短い。一方、導出口６４は、ダクト６０の前面側の下方に位置する。導出口６４の開口面は、例えば、ＹＺ平面上にあり、Ｙ方向に長く、Ｚ方向に短い。導出口６４の開口形状は、吹き出し口１４ａの開口形状とおおよそ合う。また、導入口６３のＹ方向の寸法は、導出口６４のＹ方向の寸法とおおよそ合う。導入口６３のＸ方向の寸法は、導出口６４のＺ方向の寸法よりも大きくなるように設定されている。すなわち、導入口６３の開口面積は、導出口６４の開口面積よりも大きく設定することが好ましく、例えば、導出口６４の開口面積の１．２倍〜２．０倍に設定するのが好ましい。これにより、ファン収容部４０からダクト６０に送られてきた空気が、比較的広い導入口６３から入って比較的狭い導出口６４から出るときまでに加速され、吹き出し口１４ａから勢いよく吹き出される。
【００３２】
ダクト６０は、上記規定したような導入口６３及び導出口６４が形成されるように、前面部６０ａと、後面部６０ｂと、第１側面部６０ｃと、第２側面部６０ｄと、底面部６０ｅとを有する。前面部６０ａは、導出口６４を有する第１壁部である。後面部６０ｂは、前面部６０ａにＸ方向で対向する第２壁部である。第１側面部６０ｃ及び第２側面部６０ｄは、互いにＹ方向で対向する側壁部である。底面部６０ｅは、導入口６３に対向する下壁部である。底面部６０ｅには、開口がなく、ダクト６０は、導入口６３から導出口６４に至るまで出口のない流路を形成している。導入口６３の開口面は、おおよそ、前面部６０ａ、後面部６０ｂ、第１側面部６０ｃ及び第２側面部６０ｄの各上端で四方を囲まれた面である。
【００３３】
図８は、ダクト６０の拡大断面図である。ダクト６０内の流通空間には、概略的に、以下の４つの空間、具体的には、第１空間Ｓ１、第２空間Ｓ２、第３空間Ｓ３及び第４空間Ｓ４が存在する。なお、第１空間Ｓ１〜第４空間Ｓ４は、図中、それぞれ二点鎖線で示されている。また、第１空間Ｓ１〜第４空間Ｓ４のＹ方向の長さは、それぞれ、導入口６３又は導出口６４のＹ方向の長さとおおよそ合っている。
【００３４】
第１空間Ｓ１は、導入口６３の開口面を投影させた２つの第１側面Ｐ１と、導出口６４の開口面を投影させた２つの第２側面Ｐ２とを有する直方体状の空間である。つまり、２つの第１側面Ｐ１は、Ｚ方向で互いに対向する。２つの第２側面Ｐ２は、Ｘ方向で互いに対向する。この場合、仮に導入口６３からＺ方向に沿ってダクト６０の内部を覗いたとすると、第１空間Ｓ１が視認される。また、仮に導出口６４からＸ方向に沿ってダクト６０の内部を覗いたとしても、第１空間Ｓ１が視認される。
【００３５】
第２空間Ｓ２は、導入口６３の開口面を投影させた２つの第３側面Ｐ３を有し、かつ、導出口６４の開口面を投影させる側面を有しない空間である。つまり、第２空間Ｓ２は、第１空間Ｓ１とＺ方向で対向する空間である。また、２つの第３側面Ｐ３は、Ｚ方向で互いに対向する。第２空間Ｓ２は、２つの第３側面Ｐ３を接続させるＹＺ平面としての２つの第４側面Ｐ４を有する。この場合、仮に導入口６３からＺ方向に沿ってダクト６０の内部を覗いたとすると、第２空間Ｓ２が視認される。しかし、仮に導出口６４からＸ方向に沿ってダクト６０の内部を覗いたとしても、第２空間Ｓ２は、導出口６４の開口面を投影させる側面を有しないため、視認されない。
【００３６】
また、第２空間Ｓ２には、加熱装置５０が設置される。ダクト６０は、加熱装置５０が第２空間Ｓ２内の流路断面を覆うように、加熱装置５０を保持する。本実施の形態では、第２空間Ｓ２内での空気の流れは、Ｚ方向に沿って上方から下方に向かう。また、加熱装置５０は、長板状であり、かつ、厚み方向に空気を貫通可能である。そこで、ダクト６０は、加熱装置５０の厚み方向がＺ方向に合うように加熱装置５０を保持する。この場合、加熱装置５０の空気貫通面は、ダクト６０の導入口６３の開口面と平行となる。また、ダクト６０の第１側面部６０ｃは、加熱装置５０を設置したときに端子５０ａを外部に露出させる貫通穴６０ｆを有する。
【００３７】
なお、第２空間Ｓ２は、第１空間Ｓ１と同様に、直方体状の空間である。ただし、本実施の形態では、第２空間Ｓ２は、直方体状の空間に限られず、例えば、第４側面Ｐ４がＹＺ平面に対して傾斜しているような異形状であってもよい。
【００３８】
第３空間Ｓ３は、第１空間Ｓ１及び第２空間Ｓ２から吹き出し口１４ａまでのＸ方向の間隔Ｇ２を補う空間である。第３空間Ｓ３は、第１空間Ｓ１又は第２空間Ｓ２から吹き出し口１４ａまで空気を導きやすい形状を有することが望ましい。そこで、前面部６０ａの一部は、第３空間Ｓ３において吹き出し口１４ａの開口面積よりも第１空間Ｓ１及び第２空間Ｓ２に接する側の開口面積が広くなるような傾斜壁６０ｇであってもよい。
【００３９】
第４空間Ｓ４は、後面部６０ｂに形成された曲面部６０ｈに内包される空間である。曲面部６０ｈは、Ｙ方向に延伸する軸を曲率中心として、ダクト６０の内側から外側に向かって凸となる壁部である。曲面部６０ｈの少なくとも一部は、導出口６４に対向する。
【００４０】
ダクト６０は、加熱装置５０が設置される位置よりも空気流通方向の下流側に、前面部６０ａからダクト６０の内方へ（後方へ）突出する凸部（リブ）６０ｒを有している。凸部６０ｒは、後面部６０ｂの曲面部６０ｈに対向する位置に設けられている。図６に示すように、凸部６０ｒは、曲面部６０ｈの空気流通方向の上流側（曲面部６０ｈの上端６０ｈｔ）寄りに設けられるのが望ましい。より具体的には、凸部６０ｒの高さ位置は、Ｚ方向において、曲面部６０ｈの上端６０ｈｔとＺ方向の中間部６０ｈｍとの間とされるのが望ましい。ダクト６０の内部空間において、図６中の矢印で示すように、加熱装置５０を通過した下向きの空気の流れを、凸部６０ｒにて曲面部６０ｈ寄りに曲げ、さらに曲面部６０ｈの形状に沿って滑らかに方向転換させて、前方へ進行させることができる。図示は省略するが、仮に、凸部６０ｒと曲面部６０ｈとが設けられていないダクトで導入口から導出口まで空気を導こうとすると、下向きの空気の流れが真っ直ぐに底面部６０ｅにぶつかって、圧損が大きくなる。ダクト６０に凸部６０ｒと曲面部６０ｈとが設けられることで、空気が円滑に流れ、圧損を低減できる。
【００４１】
また、ダクト６０は、加熱装置５０よりも空気流通方向の下流側で、鉛直方向（下向き）から水平方向（前向き）に方向転換させる構造である。すなわち、加熱装置５０を通過した後の空気の流れを、凸部６０ｒと曲面部６０ｈとによりスムーズに方向転換させて、方向転換の勢いそのままに吹き出し口１４ａから吹き出させることができる。
【００４２】
また、ダクト６０は、第１分割体６１と第２分割体６２とに分割可能である。例えば、第１分割体６１と第２分割体６２とは、おおよそ、暖房装置１の前後方向に対応するＸ方向に対して垂直なＹＺ平面に沿って分割される。つまり、第１分割体６１と第２分割体６２とは、互いに組み合わされた状態では、Ｘ方向で対向する。第１分割体６１は、導出口６４を有する側の分割体であってもよい。この場合、第２分割体６２は、曲面部６０ｈを有する側の分割体となる。一方、導入口６３は、図５に示すように、第１分割体６１の側と第２分割体６２の側とに分断されることになる。
【００４３】
なお、ダクト６０は、３つ以上の分割体で構成されてもよい。例えば、ダクト６０は、第１分割体６１と第２分割体６２に加えて、更にＹＺ平面に沿って分割され、第１分割体６１と第２分割体６２に挟まれる第３分割体を含み、Ｘ方向に沿って３つの分割体が組み合わされるものであってもよい。
【００４４】
また、ダクト６０が第１分割体６１と第２分割体６２とに分割可能である場合、加熱装置５０は、第１分割体６１と第２分割体６２とに挟まれて保持される。例えば、ダクト６０は、第２空間Ｓ２に面する前面部６０ａの内面と、第２空間Ｓ２に面する後面部６０ｂの内面とに、加熱装置５０の側端部を支持する複数の突起部６０ｉを有する。複数の突起部６０ｉは、Ｚ方向で加熱装置５０を挟み込むように、かつ、Ｘ方向で加熱装置５０を挟み込むように、それぞれ配置される。
【００４５】
第１分割体６１と第２分割体６２とは、図５に示すように、複数の取り付けネジ６５を用いて互いに組み合わされる。なお、図５では、一例として１本の取り付けネジ６５のみが描画されている。この場合、第１分割体６１は、取り付けネジ６５を貫通させる複数の貫通穴６０ｊを有する。一方、第２分割体６２は、複数の貫通穴６０ｊの各々に対応した複数のネジ穴部６０ｋを有する。
【００４６】
さらに、ダクト６０は、底面部６０ｅに取り付けネジ６６を貫通させる貫通穴６０ｍを有する突起部６０ｎを有する。一方、本体ケース１０は、内面側に、貫通穴６０ｍに対応した位置に、取り付けネジ６６を締結するネジ穴１０ｋを有する。ダクト６０は、ファン収容部４０の係合部４０ｂにフランジ部６３ａを係合させるとともに、取り付けネジ６６を用いることで、本体ケース１０に対して固定される。
【００４７】
なお、ダクト６０は、例えば前面部６０ａに、加熱装置５０が用いられることに伴って設置されるヒューズを収容するヒューズ収容部６０ｐを有してもよい。
【００４８】
ここで、モーター支持部３０は、ダクト６０の鉛直方向の上方にある。また、モーター支持部３０は、筐体２のうち後面側にある本体ケース１０に支持されている。つまり、モーター支持部３０は、ファン収容部４０が接続する側で筐体２に支持されている。そのため、暖房装置１全体としての重心位置は、暖房装置１の上方かつ後方に位置しやすい。そこで、筐体２を支持するベース１８は、モーター支持部３０を支持する側の方が反対側よりも筐体２から水平方向に突出する形状を有する。ここで、水平方向においてモーター支持部３０を支持する側とは、Ｘ方向に相当する前後方向の後ろ側をいう。一方、水平方向においてモーター支持部３０を支持する側の反対側とは、前後方向の前側をいう。具体的には、図６を参照すると、ベース１８の前側端部１８ａは、前面パネル１２の表面位置におおよそ合っている。すなわち、前側端部１８ａは、筐体２の一部である前面パネル１２から突出していない。これに対して、ベース１８の後側端部１８ｂは、筐体２の一部である本体ケース１０の表面から距離Ｌ分だけ外側に突出している。
【００４９】
また、回路基板２２は、モーター支持部３０よりもＺ方向の上方にある。一方、加熱装置５０は、モーター支持部３０よりもＺ方向の下方にある。回路基板２２と加熱装置５０とは、複数のリード線５２で電気的に接続されている。ここで、モーター支持部３０は、図７に示すように、側端部３０ｂに、リード線５２を配索させるフック部３７を有する。フック部３７は、例えば、共に平板をＬ形に変形させた形状を有する第１フック３７ａと第２フック３７ｂとを含む。第１フック３７ａは、側端部３０ｂの前面端からＹ方向に立設され、先端部が側端部３０ｂに対して平行に後方側に向いている。一方、第２フック３７ｂは、第１フック３７ａよりもＺ方向に間隔を開けて、側端部３０ｂの後面端からＹ方向に立設され、先端部が側端部３０ｂに対して平行に前方側に向いている。作業者は、フック部３７にリード線５２を配索させるときには、一旦、リード線５２をＸ方向に沿うように寝かせた状態で第１フック３７ａと第２フック３７ｂとの間に挿入させ、その後、リード線５２の姿勢をＺ方向に沿うように変化させればよい。このような配索により、リード線５２の前側への移動は、第１フック３７ａにより規制され、後ろ側への移動は、第２フック３７ｂにより規制される。一方、リード線５２のＹ方向の移動は、第１フック３７ａ及び第２フック３７ｂの双方により規制される。
【００５０】
また、筐体２の一部である本体ケース１０は、外部の空気を吸い込む吸気口１０ｂを有する。吸気口１０ｂが形成される位置、及び、吸気口１０ｂから吸い込まれた空気の暖房装置１内での流通経路は、例えば、以下のように規定される。
【００５１】
図９は、図２中のＩＸ−ＩＸ断面に相当する暖房装置１の断面図である。図９では、ファン２４の回転に伴って吸気口１０ｂから吸い込まれた空気のファン２４に到達するまでの流通経路が矢印で示されている。吸気口１０ｂは、前後方向の後ろ側から前側に貫通するように、本体ケース１０において２箇所形成されている。
【００５２】
まず、吸気口１０ｂは、図４に示すように、それぞれ、Ｚ方向に沿って複数の貫通穴が並ぶ長細い平面形状を有する。２つの吸気口１０ｂのうち、一方の吸気口１０ｂは、本体ケース１０の一方の側面部である第１側面部１０ｇの近傍に設けられる。他方の吸気口１０ｂは、本体ケース１０の他方の側面部である第２側面部１０ｈの近傍に設けられる。吸気口１０ｂが設けられている高さ位置は、Ｚ方向において、おおよそファン２４の高さ位置に合っている。なお、吸気口１０ｂの裏面には、不図示であるが、暖房装置１の内部への塵等の進入を抑えるためのフィルターが設置されていてもよい。
【００５３】
ここで、暖房装置１は、図９に示すように、ファン２４が吸気口１０ｂから吸い込んだ空気をファン収容部４０の外側に通過させる第１流通経路ＰＡ１を備える。暖房装置１の正面幅方向に相当するＹ方向では、モーター支持部３０の一方の側端部３０ｂと、この側端部３０ｂに対向する本体ケース１０の第１側面部１０ｇとの間には、間隔Ｇ３が存在する。なお、モーター支持部３０の他方の側端部３０ｂと、この側端部３０ｂに対向する本体ケース１０の第２側面部１０ｈとの間も同様である。したがって、第１流通経路ＰＡ１は、Ｘ方向に沿って、モーター支持部３０の後面側から、間隔Ｇ３の空間を通過して、モーター支持部３０の前面側に向かい、最終的には、前面パネル１２の裏面１２ｇに突き当たる。
【００５４】
なお、本実施の形態では、モーター支持部３０の側端部３０ｂと本体ケース１０の側面部との間に予め間隔Ｇ３が存在するものとしている。しかし、モーター支持部３０の寸法上、モーター支持部３０の側端部３０ｂと本体ケース１０の側面部との間に、間隔がほとんど存在しない場合もあり得る。この場合には、モーター支持部３０に予め前面側と後面側とで貫通する貫通穴を形成しておくことで、当該貫通穴を通過する第１流通経路ＰＡ１を設けることが可能である。
【００５５】
また、モーター支持部３０は、上記のとおり、前面側から後面側に貫通する複数の空気導入孔３４を有する。ファン２４が回転すると、モーター支持部３０の前面側の空気が、複数の空気導入孔３４を通過して、モーター支持部３０の後面側、すなわちファン収容部４０の内側に吸い込まれる。つまり、暖房装置１は、第１流通経路ＰＡ１を通過してきた空気を、モーター２６の側面側、かつ、ファン収容部４０の内側に流通させる第２流通経路ＰＡ２を備える。第１流通経路ＰＡ１に沿って流れてきた空気は、前面パネル１２の裏面１２ｇで進行方向を変化させる。そして、進行方向を変化させた空気は、引き続きファン２４による吸い込みにより、第２流通経路ＰＡ２に沿って進行する。この第１流通経路ＰＡ１から第２流通経路ＰＡ２までの空気の流通経路を、図９中、第３流通経路ＰＡ３として示している。
【００５６】
第１流通経路ＰＡ１における空気の進行方向と、第２流通経路ＰＡ２における空気の進行方向とは、それぞれ、モーター２６の回転軸２６ａに対して平行、すなわち、前後方向に相当するＸ方向に沿った方向となる。ただし、第１流通経路ＰＡ１における空気の進行方向と、第２流通経路ＰＡ２における空気の進行方向とは、上記のとおり、互いに反対となる。
【００５７】
以上のように、本実施の形態に係る暖房装置１は、筐体２の内部に設置され、外部の空気を取り入れるファン２４と、ファン２４が取り入れた空気を加熱する加熱装置５０と、加熱装置５０で加熱された空気を外部へ吹き出す吹き出し部１２ｃとを備える。暖房装置１は、ファン２４が取り入れた空気を導入する導入口６３と、導入口６３から導入した空気を吹き出し部１２ｃに向けて導出する導出口６４とを有するダクト６０とを備える。ダクト６０は、導入口６３の開口面を投影させた２つの第１側面Ｐ１と、導出口６４の開口面を投影させた２つの第２側面Ｐ２とを有する直方体状の第１空間Ｓ１を含む。
【００５８】
このような暖房装置１によれば、ダクト６０内の流通空間には、少なくとも第１空間Ｓ１が含まれるため、ダクト６０の容積が従来のファンケースの容積よりも大きくなる。従来のファンケースは、流通空間の容積がおおよそ最小限となるような曲断面を有する形状となっている。このような形状のファンケースの流通空間には、第１側面Ｐ１及び第２側面Ｐ２で大きさが規定された直方体状の第１空間Ｓ１を含むことができないから、第１空間Ｓ１を含むダクト６０内の流通空間の方が、容積が大きくなる。そのため、ダクト６０は、ファン２４から送られてきた空気を従来よりも多く流通させることができる。また、例えば、温風の風量を増加させるために、ファン２４の大きさを従来よりも大きくしたと仮定する。この場合でも、流通空間の容積が大きいダクト６０を用いることで、流通する空気の流れが阻害されづらくなるため、好適に空気の風量を従来よりも増加させることができる。したがって、本実施の形態によれば、温風の風量を増加させるのに有利となる暖房装置１を提供することができる。
【００５９】
また、本実施の形態に係る暖房装置１では、ダクト６０は、導入口６３の開口面を投影させた２つの第３側面Ｐ３を有し、かつ、導出口６４の開口面を投影させる側面を有しない第２空間Ｓ２を含み、加熱装置５０は、第２空間Ｓ２に設置されてもよい。
【００６０】
例えば、ガード１４に設けられている複数のフィン１４ｂに関して、フィン１４ｂ同士の間隔Ｇ１は、成人の手の指の幅よりも小さく設定されている。そのため、基本的には、高温となり得る吹き出し口１４ａに向かって成人が直接的に指を挿入することは難しい。しかし、例えば幼児の場合、間隔Ｇ１の寸法によっては、吹き出し口１４ａに向かって手の指を挿入することができる場合もあり得る。このとき、加熱装置５０が、例えば、吹き出し口１４ａと接するダクト６０の導出口６４の近傍に設置されていたとすると、幼児が誤って吹き出し口１４ａに向かって手の指を挿入したときに、加熱装置５０に触れてしまうことも考えられる。
【００６１】
これに対して、暖房装置１によれば、加熱装置５０が第２空間Ｓ２に設置されており、すなわち、導出口６４に近い側にある第１空間Ｓ１には設置されていない。つまり、加熱装置５０は、導出口６４から遠い位置に設置されることになるため、万が一幼児が吹き出し口１４ａに向かって手の指を挿入したとしても、加熱装置５０に触れてしまうことを予め抑止することができる。
【００６２】
一方、従来の暖房装置では、吹き出し口の近傍に加熱装置が設置されていたとしても、吹き出し口と加熱装置との間にフィルターを設置することで、吹き出し口側から直接的に加熱装置に触れることができないようにする構成を採用したものもある。これに対して、暖房装置１では、加熱装置５０の位置自体を吹き出し口１４ａから遠ざけるため、従来採用されているようなフィルターを設置する必要がないので、構成要素の低減の点で有利となり得る。また、このことは、圧損の要因となり得る構成要素をダクト６０の流通空間に極力設置しないことで、風量の増加にも寄与し得る。
【００６３】
また、本実施の形態に係る暖房装置１では、ダクト６０は、第１分割体６１と第２分割体６２とに分割可能であり、加熱装置５０は、第１分割体６１と第２分割体６２とに挟まれて保持されてもよい。
【００６４】
このような暖房装置１によれば、加熱装置５０を保持することに特化したネジ等の締結部材を用いる必要がなくなるため、構成部品の低減の点で有利となり得る。また、暖房装置１を組み立てる際に、第１分割体６１と第２分割体６２とを組み合わせる工程と同時に加熱装置５０を保持させることができるので、暖房装置１の組み立て工程の簡略化の点でも有利となり得る。
【００６５】
また、本実施の形態に係る暖房装置１では、ダクト６０は、導出口６４が形成されている第１壁部に対向する第２壁部に、少なくとも一部が導出口６４に対向し、ダクト６０の内側から外側に向かって凸となる曲面部６０ｈを有してもよい。ここで、第１壁部とは、例えば、ダクト６０の前面部６０ａに相当する。この場合、第２壁部は、後面部６０ｂに相当する。
【００６６】
このような暖房装置１によれば、ダクト６０の流通空間が、直方体状の第１空間Ｓ１を含んでいるとしても、空気の流れを、図６中の矢印で示すように、曲面部６０ｈの形状に沿って導入口６３から導出口６４まで滑らかに進行させることができる。
【００６７】
また、本実施の形態に係る暖房装置１は、ファン２４を回転させるモーター２６と、ファン２４を接続している側でモーター２６を支持するモーター支持部３０と、モーター支持部３０に接続され、ファン２４を収容するファン収容部４０とを備えてもよい。暖房装置１は、ファン２４が吸い込んだ空気をファン収容部４０の外側に通過させる第１流通経路ＰＡ１と、第１流通経路ＰＡ１を通過してきた空気を、モーター２６の側面側、かつ、ファン収容部４０の内側に流通させる第２流通経路ＰＡ２とを備えてもよい。第１流通経路ＰＡ１における空気の進行方向と、第２流通経路ＰＡ２における空気の進行方向とは、それぞれモーター２６の回転軸に対して平行であり、かつ、互いに反対であってもよい。
【００６８】
このような暖房装置によれば、暖房装置１の内部に取り入れられた空気は、ファン収容部４０の外側を通過した後に方向転換し、モーター２６の側面側を通過してファン収容部４０の内側に向かう。つまり、暖房装置１の内部に取り入れられた空気は、ファン収容部４０の内側に導入される前にモーター２６の側面に接触することになるので、モーター２６の熱を放熱するのに有利となる。また、例えば、温風の風量を増加させるために、モーター２６の定格を従来よりも大きくしたと仮定する。この場合でも、モーター２６の放熱に有利となることで、モーターの定格の増加にも対応しやすくなるため、好適に空気の風量を従来よりも増加させることができる。
【００６９】
また、本実施の形態に係る暖房装置１では、筐体２は、第１流通経路ＰＡ１に沿った位置に形成されている吸気口１０ｂを有してもよい。
【００７０】
このような暖房装置１によれば、第１流通経路ＰＡ１へよりスムーズに空気を導入させることができる。
【００７１】
また、本実施の形態に係る暖房装置１では、モーター支持部３０は、側端部３０ｂにフック部３７を有してもよい。
【００７２】
このような暖房装置１によれば、暖房装置１を組み立てる際に、リード線５２が容易に配索されるので、暖房装置１の組み立て工程の簡略化の点で有利となり得る。また、モーター支持部３０の側端部３０ｂは、図９に示すように、第１流通経路ＰＡ１の一部に接する。そのため、リード線５２が熱を持つ場合には、リード線５２の放熱の点でも有利となり得る。
【００７３】
また、本実施の形態に係る暖房装置１では、モーター支持部３０は、ダクト６０の鉛直方向の上方で、かつ、ファン収容部４０が接続する側で、筐体２に支持されてもよい。筐体２は、モーター支持部３０を支持する側の方が反対側よりも筐体２から水平方向に突出するベース１８を備えるものとしてもよい。
【００７４】
このような暖房装置１によれば、重心位置が暖房装置１の上方かつ後方に位置している場合でも、ベース１８が安定して筐体２を支持することができる。
【００７５】
次に、前述の実施の形態とは別の実施の形態について図面を参照して説明する。なお、前述の実施の形態と実質的に同一の機能及び構成を有する要素については、同一の符号を付することにより重複説明を省略し、また、当該実施の形態に直接関係のない要素については、図示を省略する。
【００７６】
図１０は、当該実施の形態に係る暖房装置１Ａの外観を示す斜視図である。図１１は、暖房装置１Ａの側面図である。図１２は、暖房装置１Ａの正面図である。図１３は、暖房装置１Ａの背面図である。図１４は、暖房装置１Ａの平面図である。
【００７７】
また、図１５は、図１２中のＸＶ−ＸＶ断面に相当する暖房装置１Ａの断面図である。図１６は、本体ケース１０における吸気口１０ｂを斜め前方から見た分解斜視図である。図１７は、前面パネル１２における吹き出し口１４ａを斜め後方から見た斜視図である。
【００７８】
図１０から図１４に示すように、暖房装置１Ａは、台座部（固定部）７０と、筐体（旋回部）２と、首振り機構７１（図１５参照）とを備える。台座部７０は、設置面である床面上に載置されて、筐体２を支持している。台座部７０は、平面視で円形状に形成される。筐体２は、円形状の台座部７０に対応させて本体ケース１０の下部から水平方向（前後方向）に膨出する膨出部７２を有している。筐体２が、台座部７０の上部に首振り可能に装着されている。
【００７９】
図１５に示すように、首振り機構７１は、首振りモーター７３と、支持機構７４とを有して構成されている。首振りモーター７３は、本体ケース１０に対して固定されており、首振りモーター７３と台座部７０とが、リンク機構７５を介して連結されている。支持機構７４は、台座部７０と本体ケース１０との間に配置されている。支持機構７４は、台座部７０の上部に設けられる円環状のレール７６と、レール７６の上に転動可能に配置される支持体（球体）７７と、本体ケース１０の下部に形成され、支持体７７を保持する保持部７８とを有している。支持体７７は、台座部７０と膨出部７２との間、及び、台座部７０と本体ケース１０との間に配置されて、筐体２の荷重を支持する。
【００８０】
このような首振り機構７１により、筐体２が台座部７０に対して水平方向（左右方向）に設定首振り角度θ１（例えば、９０°）の角度範囲で首振りされる（図１４参照）。また、首振りモーター７３を筐体２（本体ケース１０）の下部に配置することにより、暖房装置１Ａの下部寄りに重心が移動し、暖房装置１Ａの床面への載置の安定性が向上している。
【００８１】
回路基板２２は、首振り機構７１による首振り動作、及び、モーター２６及び加熱装置５０による暖房運転の作動状態を制御する制御部を有している。この制御部は、首振り機構７１が筐体２を台座部７０に対して水平方向（左右方向）に旋回させるときには、人感センサー２０に基づいて暖房運転が自動で停止する及び自動で開始する制御を行わない。
【００８２】
図１６に示される吸気口１０ｂは、図４に示される実施の形態における吸気口１０ｂと比較して、開口面積が拡大している。図１６に示されるように、吸気口１０ｂの裏面には、暖房装置１Ａの内部への塵等の進入を抑えるためのフィルター８０が設置されている。フィルター８０は、樹脂製の枠体８１にメッシュフィルター８２がインサート成形されたものであり、塵等を空気から分離する。
【００８３】
図１７に示すように、吹き出し口１４ａには、上下方向に対して回動可能なルーバー８３が設けられている。このルーバー８３は、図１５に示す水平位置から上向きに設定回動角度θ２（例えば、２０°〜２５°）だけ手動で回動される。ルーバー８３の両端部の軸部８４と前面パネル１２側の軸支持部８５との間にバネ（線バネ）８６が取り付けられており、このバネ８６によりルーバー８３が所望の回動角度に保持される。ルーバー８３を水平位置から上向きに回動させた状態で、筐体２を台座部７０に対して左右方向に首振りさせることにより、温風を上下方向に対しても拡散させることができ、暖房装置１Ａによる暖房の効率を高めることができる。
【００８４】
以上のように、当該実施形態に係る暖房装置１Ａは、設置面（床面）に載置され、筐体２を支持する台座部７０と、筐体２を台座部７０に対して水平方向（左右方向）に旋回させる首振り機構７１とを備える。
【００８５】
このような暖房装置１Ａによれば、吹き出し口１４ａから吹き出される温風を水平方向（左右方向）に対して拡散させることができ、暖房装置１Ａの前方の広範囲を温めることができる。
【００８６】
また、当該実施の形態に係る暖房装置１Ａでは、台座部７０は、平面視で円形状に形成され、筐体２は、円形状の台座部７０に対応させて筐体２の下部から水平方向に膨出する膨出部を有してもよい。台座部７０と膨出部７２との間には、筐体２の荷重を支持する支持体７７が配置されていてもよい。
【００８７】
この暖房装置１Ａによれば、台座部７０に対して水平方向（左右方向）に旋回される筐体２を、安定して支持することができる。
【００８８】
また、当該実施の形態に係る暖房装置１Ａは、制御部（回路基板２２）と、熱を帯びた被検知対象物の動きを検知する検知部（人感センサー２０）とを備えてもよい。制御部（回路基板２２）は、首振り機構７１が筐体２を台座部７０に対して水平方向に旋回させるときには、検知部（人感センサー２０）に基づいて暖房運転の自動停止及び自動開始を行わないように制御してもよい。
【００８９】
この暖房装置１Ａによれば、首振り機構７１が筐体２を台座部７０に対して水平方向に旋回させるときに、吹き出し口１４ａから吹き出される温風によって温められた物体を被検知対象物として検知してしまう誤認検知を防止することができる。
【００９０】
以上、好ましい実施の形態について説明したが、実施の形態は、これらに限定されず、その要旨の範囲内で種々の変形及び変更が可能である。
【符号の説明】
【００９１】
１，１Ａ  暖房装置
２        筐体
１０ｂ    吸気口
１２ｃ    吹き出し部
１８      ベース
２０      人感センサー（検知部）
２２      回路基板（制御部）
２４      ファン
２６      モーター
３０      モーター支持部
３０ｂ    側端部
３７      フック部
４０      ファン収容部
５０      加熱装置
６０      ダクト
６０ｈ    曲面部
６１      第１分割体
６２      第２分割体
６３      導入口
６４      導出口
７０      台座部
７１      首振り機構
７２      膨出部
７７      支持体
Ｐ１      第１側面
Ｐ２      第２側面
Ｐ３      第３側面
ＰＡ１    第１流通経路
ＰＡ２    第２流通経路
Ｓ１      第１空間
Ｓ２      第２空間
【図１】
2020026946.tif 000003
【図２】
2020026946.tif 000004
【図３】
2020026946.tif 000005
【図４】
2020026946.tif 000006
【図５】
2020026946.tif 000007
【図６】
2020026946.tif 000008
【図７】
2020026946.tif 000009
【図８】
2020026946.tif 000010
【図９】
2020026946.tif 000011
【図１０】
2020026946.tif 000012
【図１１】
2020026946.tif 000013
【図１２】
2020026946.tif 000014
【図１３】
2020026946.tif 000015
【図１４】
2020026946.tif 000016
【図１５】
2020026946.tif 000017
【図１６】
2020026946.tif 000018
【図１７】
2020026946.tif 000019